(57)【要約】【課題】  刈取収穫機において刈取部にライトを備える場合、ライトの数を抑えながら、刈取部から比較的広い範囲に亘って照射することができるように構成する。【解決手段】  複数のバルブ２２，２３、複数のリフレクタ２４，２５及び透明のカバー２１を備えて、ライト２０を構成する。機体の前部に備えられた刈取部２にライト２０を備える。複数のバルブ２２，２３のうちの一つのバルブ２２の光の向きと、複数のバルブ２２，２３のうちの別のバルブ２３の光の向きとが異なるように構成する。【選択図】        図３
2006081408.tif 000002
【特許請求の範囲】
【請求項１】
複数のバルブと、前記複数のバルブの各々に備えられた複数のリフレクタと、前記複数のバルブ及び複数のリフレクタを覆う透明のカバーとを備えて、ライトを構成して、
機体の前部に備えられた刈取部に前記ライトを備えると共に、
前記複数のバルブのうちの一つのバルブの光の向きと、前記複数のバルブのうちの別のバルブの光の向きとが異なるものとなるように、前記一つのバルブの向き又は別のバルブの向き又はリフレクタの向きを設定している刈取収穫機。
【請求項２】
複数のバルブと、前記複数のバルブの各々に備えられた複数のリフレクタと、前記複数のバルブ及び複数のリフレクタを覆う透明のカバーとを備えて、ライトを構成して、
機体の前部に備えられた刈取部に前記ライトを備えると共に、
前記複数のバルブのうちの一つのバルブの光が刈取部の前方に向くように、前記一つのバルブの向き又はリフレクタの向きを設定し、
前記複数のバルブのうちの別のバルブの光が刈取部の横外方に向くように、前記別のバルブの向き又はリフレクタの向きを設定している刈取収穫機。
【発明の詳細な説明】
【技術分野】
【０００１】
本発明は、刈取収穫機に備えられるライトの構造に関する。
【背景技術】
【０００２】
コンバイン等の刈取収穫機では夕暮れ時や夜間でも刈取作業を行うことが増えてきており、例えば特許文献１に開示されているように、刈取部にライト（特許文献１の第１，２，３図の１）を備えたものがある。
【０００３】
【特許文献１】実開昭６３−２３１４３号公報（第１，２，３図）
【特許文献２】特開平７−２８９０５８号公報（図１，３，４，５）
【発明の開示】
【発明が解決しようとする課題】
【０００４】
コンバイン等の刈取収穫機において、刈取部は比較的横幅が大きなものとなっている。これにより、刈取部から比較的広い範囲に亘って照射しようとすると、刈取部に多数のライトを備えなければならない。
本発明はコンバイン等の刈取収穫機において、刈取部にライトを備える場合、ライトの数を抑えながら、刈取部から比較的広い範囲に亘って照射することができるように構成することを目的としている。
【課題を解決するための手段】
【０００５】
（構成）
本発明の第１特徴は、刈取収穫機において次のように構成することにある。
複数のバルブと、複数のバルブの各々に備えられた複数のリフレクタと、複数のバルブ及び複数のリフレクタを覆う透明のカバーとを備えて、ライトを構成する。機体の前部に備えられた刈取部にライトを備える。複数のバルブのうちの一つのバルブの光の向きと、複数のバルブのうちの別のバルブの光の向きとが異なるものとなるように、一つのバルブの向き又は別のバルブの向き又はリフレクタの向きを設定している。
【０００６】
本発明の第２特徴は、刈取収穫機において次のように構成することにある。
複数のバルブと、複数のバルブの各々に備えられた複数のリフレクタと、複数のバルブ及び複数のリフレクタを覆う透明のカバーとを備えて、ライトを構成する。機体の前部に備えられた刈取部にライトを備える。複数のバルブのうちの一つのバルブの光が刈取部の前方に向くように、一つのバルブの向き又はリフレクタの向きを設定し、複数のバルブのうちの別のバルブの光が刈取部の横外方に向くように、別のバルブの向き又はリフレクタの向きを設定している。
【０００７】
（作用）
刈取部にライトを備える場合、バルブの光が一つの向きにしか設定されていないライトでは、刈取部から比較的広い範囲に亘って照射しようとすると、刈取部の各部に多数のライトを備える必要がある。
【０００８】
本発明の第１特徴（第２特徴）によると、刈取部にライトを備えた場合、一つのライトから異なる向きにバルブの光が照射されるので（一つのライトから刈取部の前方及び横外方の向きにバルブの光が照射されるので）、一つのライトの照射範囲が広いものとなる。このように本発明の第１特徴（第２特徴）によると、一つのライトの照射範囲が広いものとなるので、刈取部の各部に多数のライトを備えなくても、刈取部の適切な位置に一つ又は複数のライトを備えることにより、刈取部から比較的広い範囲に亘って照射することができる。
【０００９】
本発明の第１特徴（第２特徴）によると、刈取部の各部に多数のライトを備える必要がないので、多数のライトへの配線を刈取部の各部に配置する必要が少なくなる。このように本発明の第１特徴（第２特徴）によると、多数のライトへの配線を刈取部の各部に配置する必要が少なくなるので、刈取収穫機の生産時においてライトへの配線の取付作業が少なくなるのであり、ライトへの配線の生産後のメンテナンス作業も行い易くなる。
【００１０】
（発明の効果）
本発明の第１特徴（第２特徴）によると、刈取収穫機において刈取部の各部に多数のライトを備えなくても、刈取部の適切な位置に一つ又は複数のライトを備えることにより、刈取部から比較的広い範囲に亘って照射することができるようになって、機体の運転部から広い範囲に亘って見易くなり、特に夕暮れ時や夜間での刈取作業の作業性及び路上での走行性を向上させることができた。
【００１１】
本発明の第１特徴（第２特徴）によると、刈取収穫機の生産時においてライトへの配線の取付作業が少なくなる点により、生産コストの低減を図ることができるのであり、ライトへの配線の生産後のメンテナンス作業が行い易くなる点により、メンテナンス作業の作業性を向上させることができた。
【発明を実施するための最良の形態】
【００１２】
図１及び図２に示すように、右及び左のクローラ式の走行装置１で支持された機体の前部に刈取部２を備えて、機体の前部の右側部に運転部３、機体の後部の左側部に脱穀装置４、機体の後部の右側部にグレンタンク５を備えて、刈取収穫機の一例であるコンバインが構成されている。これにより、圃場の作物が刈取部２によって刈り取られ、刈り取られた作物が脱穀装置４に送られて脱穀処理され、脱穀処理されて単粒化した作物が収穫物としてグレンタンク５に貯留される。
【００１３】
図１，２，３に示すように、機体に上下揺動自在に支持された主フレーム６に、刈取部２の全体が支持されており、主フレーム６を昇降駆動する昇降シリンダ７が備えられている。刈取部２は５個のデバイダ８，９，１０，１１、引き起し爪１３ａを多数備えた４組の引き起し装置１３、バリカン型式の刈取装置１４及び搬送装置１５を備えて、４条刈り型式に構成されている。
【００１４】
図１及び図２に示すように、内部にスクリュー（図示せず）を備えたアンローダ１２がグレンタンク５の後部に備えられており、スクリューが回転駆動されることにより、グレンタンク５の収穫物が搬送され、アンローダ１２の吐出口１２ａから排出される。アンローダ１２は横軸芯Ｐ１周りに上下に昇降駆動自在に構成され、縦軸芯Ｐ２周りに旋回駆動自在に構成されている。図１及び図２に示す状態は、運転部３の後部に備えられた受け台１７にアンローダ１２を乗せた状態であり、アンローダ１２を格納位置に配置した状態である。アンローダ１２を格納位置から上昇駆動し、横外側に旋回駆動することにより、トラック（図示せず）の荷台にグレンタンク５の収穫物を排出する。
【００１５】
図１及び図３に示すように、刈取部２の右及び左側部の上部にカバー１６が備えられており、右及び左のカバー１６に右及び左のライト２０が備えられている。右及び左のライト２０は、上及び下のバルブ２２，２３、上及び下のバルブ２２，２３に対するリフレクタ（反射板）２４，２５、これらを覆う透明のカバー２１等を備えて構成されている。
【００１６】
図１及び図３に示すように、右及び左のカバー１６の前部１６ａ及び横部１６ｂに亘る角部に開口部が形成されて、右及び左のカバー１６の開口部に右及び左のライト２０が嵌め込まれるように固定されている。カバー２１の前面が右及び左のカバー１６の前部１６ａ及び引き起し装置１３の前面と略同一面（又はカバー２１の前面が右及び左のカバー１６の前部１６ａ及び引き起し装置１３の前面よりも少し後側）に位置するように構成されており、カバー２１の横面が右及び左のカバー１６の横部１６ｂと略同一面に位置するように構成されている。
【００１７】
図３に示すように右のライト２０において、上のバルブ２２及びリフレクタ２４が右のライト２０の左右中央から右側（刈取部２の横外側）に位置し、下のバルブ２３及びリフレクタ２５が右のライト２０の左右中央から左側（刈取部２の左右中央側）に位置している。リフレクタ２４は上のバルブ２２の光を前方に反射するように構成され、リフレクタ２５は下のバルブ２５の光を右斜め前方及び斜め下方に反射するように構成されている。これにより、刈取部２を地面に位置させている状態において、右のライト２０の上のバルブ２２の照射範囲ＲＤ１及び下のバルブ２３の照射範囲ＲＤ２は、図５（ａ）及び図６に示すような状態となるのであり、右のライト２０の下のバルブ２３によりデバイダ８が照射されている。
【００１８】
図３に示すように左のライト２０において、上のバルブ２２及びリフレクタ２４が左のライト２０の左右中央から左側（刈取部２の横外側）に位置し、下のバルブ２３及びリフレクタ２５が左のライト２０の左右中央から右側（刈取部２の左右中央側）に位置している。リフレクタ２４は上のバルブ２２の光を前方に反射するように構成され、リフレクタ２５は下のバルブ２５の光を左斜め前方及び斜め下方に反射するように構成されている。これにより、刈取部２を地面に位置させている状態において、左のライト２０の上のバルブ２２の照射範囲ＬＤ１及び下のバルブ２３の照射範囲ＬＤ２は、図５（ａ）及び図６に示すような状態となるのであり、左のライト２０の下のバルブ２３によりデバイダ１０が照射されている。
【００１９】
図６に示すように、刈取部２を地面に位置させている状態において、右のライト２０の上のバルブ２２の照射範囲ＲＤ１の左側部分と、左のライト２０の上のバルブ２２の照射範囲ＬＤ１の右側部分とが、刈取部２の前方で重なり合っている。この場合に、重なり合う部分ＡＤが、刈取部２の中央の所定の近距離（例えば２メートル程度）から前方に位置する状態となる。図５（ａ）に示すように、刈取部２を地面に位置させている状態において、右及び左のライト２０の上及び下のバルブ２２，２３の照射範囲ＲＤ１，ＲＤ２，ＬＤ１，ＬＤ２は斜め前方下方に向いている。
【００２０】
図５（ｂ）に示すように、刈取部２を上限位置まで上昇駆動すると、右及び左のライト２０の上及び下のバルブ２２，２３の照射範囲ＲＤ１，ＲＤ２，ＬＤ１，ＬＤ２は、略前方を向く状態となる。この場合、前述の重なり合う部分ＡＤ（図６参照）が、刈取部２の中央の所定の遠距離（例えば８メートル程度）から前方に位置する状態となる。
【００２１】
図１及び図２に示すように、アンローダ１２の吐出口１２ａの前側部にライト１８が下向きに取り付けられており、ライト１８を上側から覆うカバー２６が備えられている。受け台１７にアンローダ１２を乗せた状態（アンローダ１２を格納位置に配置した状態）において、アンローダ１２の吐出口１２ａがデバイダ９，１１の前方上方の付近に位置している。これにより、刈取部２の中央直前の範囲ＳＤ（前述の重なり合う部分ＡＤと刈取部２との間の付近）（図６参照）が、アンローダ１２のライト１８によって照射される。
【００２２】
図４に示すように、運転部３にライトスイッチ１９が備えられている。ライトスイッチ１９をＯＮ２位置に操作すると、右及び左のライト２０の上及び下のバルブ２２，２３が点灯し、アンローダ１２のライト１８が点灯する。ライトスイッチ１９をＯＮ１位置に操作すると、右及び左のライト２０の下のバルブ２３が点灯して、右及び左のライト２０の上のバルブ２２が消灯し、アンローダ１２のライト１８が点灯する。ライトスイッチ１９をＯＦＦ位置に操作すると、右及び左のライト２０の上及び下のバルブ２２，２３が消灯し、アンローダ１２のライト１８が消灯する。
【００２３】
コンバインでは例えば図２に示すように、刈取部２の運転部３とは反対側が未刈り側Ａ１（作物がまだ刈り取られていない側）となり、刈取部２の運転部３側が既刈り側Ａ２（作物が既に刈り取られた側）となる。この場合、デバイダ９，１０，１１は作物の株元付近に位置し作物よって隠れている状態で、運転部３からデバイダ９，１０，１１を目視できない状態である。これに対して、未刈り側Ａ１の作物における既刈り側Ａ２の端部の列Ｂ１の横外側にデバイダ８が位置しており、運転部３からデバイダ８を目視することができるのであり、未刈り側Ａ１の作物における既刈り側Ａ２の端部の列Ｂ１とデバイダ８との位置関係を目視しながら、運転部３の操縦者はコンバインの運転を行う。
この場合、右のライト２０の上及び下のバルブ２２，２３により、未刈り側Ａ１の作物における既刈り側Ａ２の端部の列Ｂ１が照射されるようになるので、未刈り側Ａ１の作物における既刈り側Ａ２の端部の列Ｂ１を目視しながらの運転が行い易くなる。
【００２４】
［発明の実施の第１別形態］
前述の［発明を実施するための最良の形態］に代えて、図７及び図８に示すように構成してもよい。
図７に示すように右のライト２０において、上のバルブ２２及びリフレクタ２４が右のライト２０の左右中央から左側（刈取部２の左右中央側）に位置し、下のバルブ２３及びリフレクタ２５が右のライト２０の左右中央から右側（刈取部２の横外側）に位置している。リフレクタ２４は上のバルブ２２の光を前方に反射するように構成され、リフレクタ２５は下のバルブ２５の光を右斜め前方及び斜め下方に反射するように構成されている。これにより、刈取部２を地面に位置させている状態において、右のライト２０の上のバルブ２２の照射範囲ＲＤ１及び下のバルブ２３の照射範囲ＲＤ２は、図５（ａ）及び図８に示すような状態となるのであり、右のライト２０の下のバルブ２３によりデバイダ８が照射されている。
【００２５】
図７に示すように左のライト２０において、上のバルブ２２及びリフレクタ２４が左のライト２０の左右中央から右側（刈取部２の左右中央側）に位置し、下のバルブ２３及びリフレクタ２５が左のライト２０の左右中央から左側（刈取部２の横外側）に位置している。リフレクタ２４は上のバルブ２２の光を前方に反射するように構成され、リフレクタ２５は下のバルブ２５の光を左斜め前方及び斜め下方に反射するように構成されている。これにより、刈取部２を地面に位置させている状態において、左のライト２０の上のバルブ２２の照射範囲ＬＤ１及び下のバルブ２３の照射範囲ＬＤ２は、図５（ａ）及び図８に示すような状態となるのであり、左のライト２０の下のバルブ２３によりデバイダ１０が照射されている。
【００２６】
［発明の実施の第２別形態］
前述の［発明を実施するための最良の形態］［発明の実施の第１別形態］に代えて、図９に示すように構成してもよい。
図９に示すように右のライト２０において、バルブ２２及びリフレクタ２４が右のライト２０の左右中央から左側（刈取部２の左右中央側）に位置し、バルブ２３及びリフレクタ２５が右のライト２０の左右中央から右側（刈取部２の横外側）に位置して、バルブ２２及びリフレクタ２４とバルブ２３及びリフレクタ２５とが左右に並んだ状態となっている。リフレクタ２４はバルブ２２の光を前方に反射するように構成され、リフレクタ２５はバルブ２５の光を右斜め前方及び斜め下方に反射するように構成されている。これにより、刈取部２を地面に位置させている状態において、右のライト２０のバルブ２２の照射範囲ＲＤ１及びバルブ２３の照射範囲ＲＤ２は、図５（ａ）及び図８に示すような状態となるのであり、右のライト２０のバルブ２３によりデバイダ８が照射されている。
【００２７】
図９に示すように左のライト２０において、バルブ２２及びリフレクタ２４が左のライト２０の左右中央から右側（刈取部２の左右中央側）に位置し、バルブ２３及びリフレクタ２５が左のライト２０の左右中央から左側（刈取部２の横外側）に位置して、バルブ２２及びリフレクタ２４とバルブ２３及びリフレクタ２５とが左右に並んだ状態となっている。リフレクタ２４はバルブ２２の光を前方に反射するように構成され、リフレクタ２５はバルブ２５の光を左斜め前方及び斜め下方に反射するように構成されている。これにより、刈取部２を地面に位置させている状態において、左のライト２０のバルブ２２の照射範囲ＬＤ１及びバルブ２３の照射範囲ＬＤ２は、図５（ａ）及び図８に示すような状態となるのであり、左のライト２０のバルブ２３によりデバイダ１０が照射されている。
【００２８】
［発明の実施の第３別形態］
前述の［発明を実施するための最良の形態］［発明の実施の第１別形態］［発明の実施の第２別形態］において、右のライト２０（デバイダ８側、運転部３側）をカバー１６の低い位置に備え、左のライト２０（デバイダ１０側、運転部３とは反対側）をカバー１６の高い位置に備えるように構成してもよい。
【００２９】
前述の［発明を実施するための最良の形態］［発明の実施の第１別形態］［発明の実施の第２別形態］において機体の前部の左側部に運転部３を備えるように構成してもよい。このように構成すると、右のライト２０（デバイダ８側、運転部３とは反対側）をカバー１６の高い位置に備え、左のライト２０（デバイダ１０側、運転部３側）をカバー１６の低い位置に備えるように構成してもよい。
【００３０】
前述の［発明を実施するための最良の形態］［発明の実施の第１別形態］［発明の実施の第２別形態］において、ライト２０に３個以上のバルブ２２，２３及びリフレクタ２４，２５を備えるように構成したり、ライト２０に方向指示器（図示せず）や車幅灯（図示せず）を備えるように構成してもよい。ライト２０のカバー２１は無色透明のものばかりではなく、薄く着色（例えば薄い黄色）された半透明のものでもよい。
【図面の簡単な説明】
【００３１】
【図１】コンバインの全体側面図
【図２】コンバインの全体平面図
【図３】刈取部の正面図
【図４】ライトスイッチの平面図
【図５】刈取部を地面に位置させている状態及び刈取部を上限位置まで上昇駆動した状態での刈取部の付近の側面図
【図６】右及び左のライトの照射範囲を示す平面図
【図７】発明の実施の第１別形態の刈取部の正面図
【図８】発明の実施の第１別形態の右及び左のライトの照射範囲を示す平面図
【図９】発明の実施の第２別形態の刈取部の正面図
【符号の説明】
【００３２】
２          刈取部
２０        ライト
２１        カバー
２２，２３  バルブ
２４，２５  リフレクタ
【図１】
2006081408.tif 000003
【図２】
2006081408.tif 000004
【図３】
2006081408.tif 000005
【図４】
2006081408.tif 000006
【図５】
2006081408.tif 000007
【図６】
2006081408.tif 000008
【図７】
2006081408.tif 000009
【図８】
2006081408.tif 000010
【図９】
2006081408.tif 000011